(57)【要約】【課題】アクセスポイントに対して短い時間でアクセスを可能とし、電力消費を削減できる携帯端末装置及び通信方法を提供する。【解決手段】携帯端末装置１０及び通信方法は、無線部１１と、無線ＬＡＮアクセスポイント１２に対する通信を行う無線ＬＡＮ接続部１３と、加速度を検出する加速度センサ１４と、加速度センサ１４の情報に基づき、無線ＬＡＮの圏外において移動したという情報がない場合、アクセスポイント１２の検索をスキップする制御部１５とを備える。【選択図】図１
2013162207.tif 000002
【特許請求の範囲】
【請求項１】
無線部と、
無線ＬＡＮアクセスポイントに対する通信を行う無線ＬＡＮ接続部と、
加速度を検出する加速度センサと
前記加速度センサの情報に基づき、前記無線ＬＡＮの圏外において移動したという情報がない場合、前記アクセスポイントの検索をスキップする制御部と
を備える携帯端末装置。
【請求項２】
前記加速度センサが蓄積している歩数計測情報を利用して、前記アクセスポイントへの検索の有無を判定する
請求項１に記載の携帯端末装置。
【請求項３】
無線ＬＡＮ接続部が、無線部と無線ＬＡＮアクセスポイントとの通信を行う際に、加速度センサの情報に基づき、前記無線ＬＡＮの圏外において移動したという情報がない場合、前記アクセスポイントの検索をスキップする通信方法。
【請求項４】
前記加速度センサが蓄積している歩数計測情報を利用して、前記アクセスポイントへの検索の有無を判定する
請求項３に記載の通信方法。
【発明の詳細な説明】
【技術分野】
【０００１】
本発明は、携帯端末装置、及び通信方法に関する。特に本発明は、通信手段として無線ＬＡＮを搭載した携帯端末装置及び通信方法に関する。
【背景技術】
【０００２】
特許文献１に記載の通信方法は、接続先のアクセスポイントを探索するためのスキャン動作を繰り返す自動帰属動作の際に、スキャン動作が行われてから次のスキャン動作が行われるまでの時間であるスキャン休止時間が、スキャン動作が行われる回数が増加するに伴い長くする。この携帯端末装置及び通信方法は、自動帰属動作時において、スキャン動作を行ったにもかかわらずアクセスポイントが発見できない場合には、次のスキャンを開始するまでの間隔であるスキャン休止時間を徐々に引き伸ばして長くする。これにより、この携帯端末装置及び通信方法は、周囲に接続すべきアクセスポイントが存在しないような場合にはスキャン動作が行われる回数を減らして消費電力を削減できる。
【０００３】
特許文献２に記載の携帯端末装置及び通信方法は、移動量を検出する移動検出部と、移動検出部によって検出された移動量が所定期間変化しない場合、アクセスポイントの検索を開始する通信制御部とを有する。この携帯端末装置及び通信方法は、静止状態に移行した時点でのみネットワークを管理するアクセスポイントへの接続を実行し、移動中には比較的消費電力の大きい無線ネットワークの検索動作を行わないために、端末の電力消費を抑制することができる。
【先行技術文献】
【特許文献】
【０００４】
【特許文献１】特開２００６−０１３５９４号公報
【特許文献２】特開２００９−０４４３０９号公報
【発明の概要】
【発明が解決しようとする課題】
【０００５】
ところで、近年、第二の通信手段として無線ＬＡＮを搭載する携帯端末装置が市場に多く投入されている。そのため、携帯端末装置の通信用としての公衆無線ＬＡＮアクセスポイントも増えてきており、自宅だけでなく、駅や店舗等でも無線ＬＡＮに接続が可能である。無線ＬＡＮは、ネットワークとの接続を確立するために、周囲のアクセスポイントを検索し、接続を行うが、周囲に有効なアクセスポイントがない場合、継続して検索動作を行ってしまうため、無駄な電力消費が発生する。
【０００６】
ここで、位置情報とアクセスポイントの情報をリンクさせてアクセスポイントの検索要／不要を判定する技術を有する携帯端末装置及び通信方法がある。しかし、このような携帯端末装置及び通信方法は、位置情報とアクセスポイントの情報とを携帯端末装置またはネットワーク上に記憶しておく必要があり、例えば全エリアについての情報を保存するとなると、膨大なデータ量となる。さらに、ＧＰＳ（Ｇｌｏｂａｌ  Ｐｏｓｉｔｉｏｎｉｎｇ  Ｓｙｓｔｅｍ）を利用する場合、定期的に位置情報を取得する必要があり、結局は電力消費を多くしてしまうことになる。
【０００７】
一方、無線ＬＡＮ接続部は、ユーザによってＯＮ／ＯＦＦ可能な場合が多いが、ユーザによる操作が必要なため、設定忘れ等が発生する。また、近年発売される携帯端末装置の多くは、ユーザの利便性向上のため加速度センサを搭載している。携帯端末装置を使用するさまざまな場面で加速度センサは使用されており、消費電力も無線動作（特に送信）に比較すると少ない。
【０００８】
特許文献１は、アクセスポイントが発見できない場合に、次のスキャンを開始するまでの間隔であるスキャン休止時間を徐々に引き伸ばして長くする。そのため、スキャン休止時間内にアクセスポイントを発見した場合に、通信再開までにタイムラグを生じて不便であり、改善の余地を有する。
【０００９】
特許文献２は、移動中に、無線ネットワークの検索動作を行わないために、移動中にアクセスポイントを発見したとしても通信を行うことができずに通信再開までにタイムラグを生じて不便であり、改善の余地を有する。
【００１０】
本発明は、前述した課題を解決するためになされたものであり、その目的は、アクセスポイントに対して短い時間でアクセスを可能とし、電力消費を削減できる携帯端末装置及び通信方法を提供することにある。
【課題を解決するための手段】
【００１１】
上記課題を解決するために、本発明に係る携帯端末装置は、無線部と、無線ＬＡＮアクセスポイントに対する通信を行う無線ＬＡＮ接続部と、加速度を検出する加速度センサと、加速度センサの情報に基づき、無線ＬＡＮの圏外において移動したという情報がない場合、アクセスポイントの検索をスキップする制御部とを備える。
【００１２】
本発明に係る通信方法は、無線ＬＡＮ接続部が、無線部と無線ＬＡＮアクセスポイントとの通信を行う際に、加速度センサの情報に基づき、無線ＬＡＮの圏外において移動したという情報がない場合、アクセスポイントの検索をスキップする。
【発明の効果】
【００１３】
以上の説明から明らかなように、本発明に係る携帯端末装置及び通信方法によれば、アクセスポイントに対して短い時間でアクセスを可能とし、電力消費を削減できるという効果を奏する。
【図面の簡単な説明】
【００１４】
【図１】本発明に係る一実施形態の携帯端末装置のブロック構成図である。
【図２】本発明に係る一実施形態の通信方法の制御動作を説明するフローチャートである。
【図３】本発明に係る一実施形態の通信方法においてＷＬＡＮ＿ＡＰ＿ＳＥＡＲＣＨフラグを設定する制御動作を説明するフローチャートである。
【図４】本発明に係る一実施形態の通信方法の追加の制御動作を説明するフローチャートである。
【図５】本発明に係る一実施形態の通信方法の追加の制御動作を説明するフローチャートである。
【図６】本発明に係る他の実施形態の通信方法の制御動作を説明するフローチャートである。
【発明を実施するための形態】
【００１５】
以下、発明に係る一実施形態の携帯端末装置について図面を参照して説明する。図１に示すように、本発明に係る一実施形態の携帯端末装置１０は、無線部１１と無線ＬＡＮアクセスポイント１２（ＡＰ）との通信を行う無線ＬＡＮ接続部１３を有する。また、携帯端末装置１０は、単位時間当たりの速度の変化を検出することにより、歩数計測や端末の傾き、加速度を検出することができる加速度センサ１４を内蔵している。そして、携帯端末装置１０は、全体の制御を行う制御部１５を有し、各種設定情報を行って記憶する記憶部１６を有する。携帯端末装置１０は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）等の方式にて基地局と通信を行う。
【００１６】
携帯端末装置１０は、加速度センサ１４の情報を利用して、無線ＬＡＮ圏外において移動したという情報がない場合、アクセスポイント１２の検索をスキップする。これにより、無線ＬＡＮ圏外から動いていないために、有効なアクセスポイント１２があるはずもない場所において無駄な検索を行うことを防止できる。
【００１７】
次に、携帯端末装置１０が実行する通信方法において、携帯端末装置１０の無線ＬＡＮ圏外におけるアクセスポイントＡＰの検索動作について説明する。図２に示すように、前回のアクセスポイントＡＰの検索において、圏外と判定された場合、タイマＴ１を設定、起動する（Ｓ１−１）。このとき、タイマＴ１の値は、最短のアクセスポイント検索周期である。タイマＴ１が満了すると、検索スキップ回数Ｎをインクリメントする（Ｓ１−２→Ｓ１−３）。
【００１８】
そして、検索スキップ回数Ｎを計測し始め、検索スキップ回数Ｎが設定値Ｎ１以下でない（Ｎ１と同じ）場合、次のＷＬＡＮ＿ＡＰ＿ＳＥＡＲＣＨフラグの確認処理をスキップする（Ｓ１−４→Ｓ１−６）。ここで、ステップＳ１−３およびステップＳ１−４を行わないように動作設定することにより、圏外でかつ、携帯端末装置１０の移動を検出しない場合に、アクセスポイントＡＰを検索しないようにすることもできる。
【００１９】
Ｎが設定値Ｎ１よりも小さい場合、ＷＬＡＮ＿ＡＰ＿ＳＥＡＲＣＨフラグを確認する（Ｓ１−５）。ＷＬＡＮ＿ＡＰ＿ＳＥＡＲＣＨフラグは、後述する手順によって携帯端末装置１０の移動の有／無を判定して設定する。ＷＬＡＮ＿ＡＰ＿ＳＥＡＲＣＨフラグがＴＲＵＥの場合、ＷＬＡＮ＿ＡＰ＿ＳＥＡＲＣＨフラグと検索スキップ回数Ｎとをクリアして、アクセスポイントＡＰの検索を開始する（Ｓ１−５→Ｓ１−６→Ｓ１−７→Ｓ１−８）。ＷＬＡＮ＿ＡＰ＿ＳＥＡＲＣＨフラグがＦＡＬＳＥの場合、アクセスポイントＡＰの検索を行わず、タイマＴ１の設定に戻り、上記手順を繰り返す。
【００２０】
アクセスポイントＡＰの検索を実行し、接続可能なアクセスポイントＡＰが検出できた場合、アクセスポイントＡＰとの接続処理に進む（Ｓ１−８→Ｓ１−９）。このとき、接続可能なアクセスポイントが検出できなかった場合は、タイマＴ１の設定に戻り、上記手順を繰り返す。
【００２１】
次に、図２の制御動作において判定に使用するＷＬＡＮ＿ＡＰ＿ＳＥＡＲＣＨフラグの設定手順について説明する。図３に示すように、加速度センサ１４が加速度の変化を検出すると、制御部１５に割り込みを入れる（Ｓ２−１）。制御部１５は、割り込みを検出すると、ＷＬＡＮ＿ＡＰ＿ＳＥＡＲＣＨフラグを確認し、既にＴＲＵＥが設定されている場合は、加速度測定は実施しない（Ｓ２−２）。このとき、ＷＬＡＮ＿ＡＰ＿ＳＥＡＲＣＨフラグがＦＡＬＳＥの場合、加速度測定を実施する（Ｓ２−２→Ｓ２−３→Ｓ２−４）。
【００２２】
そして、タイマＴ２の周期で、加速度測定をＭ１回実施する（Ｓ２−５→Ｓ２−６→Ｓ２−７））。次に、測定した加速度の積算を計算することにより、その移動距離Ｄを算出する（Ｓ２−８）。このとき、移動距離Ｄが設定値Ｄ１以上の場合、ＷＬＡＮ＿ＡＰ＿ＳＥＡＲＣＨフラグをＴＲＵＥに設定する（Ｓ２−９→Ｓ２−１０）。
【００２３】
ここで、加速度の変化を検出する度に、制御部１５が割り込みを検出して判定処理を行う必要があるため、追加の制御動作を実行することができる。図４に示すように、圏外アクセスポイントＡＰ検索処理のＳ１−６でＷＬＡＮ＿ＡＰ＿ＳＥＡＲＣＨフラグをクリアする際、加速度検出割り込みマスクを解除する（Ｓ１−１０）。一方、図５に示すように、携帯端末装置１０の移動判定処理（Ｓ２−１０）のフラグ設定を行った後に、加速度検出割り込みをマスク設定とする（Ｓ２−１１）。このような制御動作とすることにより、アクセスポイント検索周期Ｔ１内で加速度の変化が何度起こったとしても、ＷＬＡＮ＿ＡＰ＿ＳＥＡＲＣＨフラグが一度設定されていれば、それ以上移動判定のための割り込みを受けることはない。
【００２４】
以上、説明したように、本発明の一実施形態の携帯端末装置１０によれば、移動の有無を判定し、その情報を使用して無線ＬＡＮアクセスポイント１２の検索要／不要を判定する。従って、携帯端末装置１０によれば、移動通信としての移動中の接続を確保し、一方で、移動していない場合の不要な無線動作を減らすことにより、アクセスポイント１２に対して短い時間でアクセスを可能とし、電力消費を削減できる。
【００２５】
また、携帯端末装置１０によれば、加速度センサ１４が蓄積している歩数計測情報を利用して、アクセスポイント１２への検索の有無を判定する。従って、携帯端末装置１０によれば、通常装備している加速度センサ１４を適用して、新しい機能を付与できる。
【００２６】
また、本発明の一実施形態の通信方法によれば、携帯端末装置１０の移動の有無を判定し、その情報を使用して無線ＬＡＮアクセスポイント１２の検索要／不要を判定する。従って、通信方法によれば、携帯端末装置１０の移動中の接続を確保し、一方で、携帯端末装置１０が移動していない場合の不要な無線動作を減らすことにより、アクセスポイント１２に対して短い時間でアクセスを可能とし、電力消費を削減できる。
【００２７】
また、通信方法によれば、携帯端末装置１０が装備している加速度センサ１４が蓄積している歩数計測情報を利用して、アクセスポイント１２への検索の有無を判定する。従って、通信方法によれば、携帯端末装置１０に新しい機能を付与できる。
【００２８】
次に、本発明に係る他の実施形態の通信方法について説明する。前述した一実施形態の通信方法は、加速度検出の割り込みを契機に携帯端末装置１０の移動距離を算出したが、本実施形態の通信方法は、加速度センサ１４内に蓄積される歩数計測データを使用して構成している。
【００２９】
図６に示すように、前回のアクセスポイントＡＰの検索において、圏外と判定された場合、タイマＴ１を設定、起動する（Ｓ１−１）。タイマＴ１が満了することにより、検索スキップ回数Ｎをインクリメントする（Ｓ１−２→Ｓ１−３）。そして、検索スキップ回数Ｎを計測し始める（Ｓ１−４）。ここで、加速度センサ内に蓄積される歩数計測データＡを読み出す（Ｓ３−１）。そして、歩数計測データＡとあらかじめ設定されている歩数の閾値Ａ１とを比較し、歩数計測データＡがＡ１よりも小さければ、アクセスポイントの検索をスキップする（Ｓ３−２）。
【００３０】
本発明の他の実施形態の通信方法によれば、携帯端末装置１０の移動の有無を判定し、その情報を使用して無線ＬＡＮアクセスポイント１２の検索要／不要を判定する。従って、通信方法によれば、携帯端末装置１０の移動中の接続を確保し、一方で、携帯端末装置１０が移動していない場合の不要な無線動作を減らすことにより、アクセスポイント１２に対して短い時間でアクセスを可能とし、電力消費を削減できる。
【００３１】
なお、本発明の携帯端末装置及び通信方法は、前述した各実施形態に限定するものでなく、適宜な変形や改良等が可能である。
【００３２】
以上述べたように、本発明の携帯端末装置及び通信方法によれば、アクセスポイントに対して短い時間でアクセスを可能とし、電力消費を削減できる。以上の結果として、製品の省電力化および高性能化を図り、本発明の産業上の利用可能性は大といえる。
【００３３】
上記の実施形態の一部、又は全部は、以下の付記のようにも記載され得るが、以下には限られない。
【００３４】
（付記１）無線部と、無線ＬＡＮアクセスポイントに対する通信を行う無線ＬＡＮ接続部と、加速度を検出する加速度センサと前記加速度センサの情報に基づき、前記無線ＬＡＮの圏外において移動したという情報がない場合、前記アクセスポイントの検索をスキップする制御部とを備える携帯端末装置。
【００３５】
（付記２）前記加速度センサが蓄積している歩数計測情報を利用して、前記アクセスポイントへの検索の有無を判定する付記１に記載の携帯端末装置。
【００３６】
（付記３）無線ＬＡＮ接続部が、無線部と無線ＬＡＮアクセスポイントとの通信を行う際に、加速度センサの情報に基づき、前記無線ＬＡＮの圏外において移動したという情報がない場合、前記アクセスポイントの検索をスキップする通信方法。
【００３７】
（付記４）前記加速度センサが蓄積している歩数計測情報を利用して、前記アクセスポイントへの検索の有無を判定する付記３に記載の通信方法。
【符号の説明】
【００３８】
１０  携帯端末装置
１１  無線部
１２  アクセスポイント
１３  無線ＬＡＮ接続部
１４  加速度センサ
【図１】
2013162207.tif 000003
【図２】
2013162207.tif 000004
【図３】
2013162207.tif 000005
【図４】
2013162207.tif 000006
【図５】
2013162207.tif 000007
【図６】
2013162207.tif 000008